(57)【要約】【課題】衝撃吸収ライナを取り除いた場合に、産業用安全帽として十分な衝撃吸収能力を簡易かつ確実に担保することができる安全帽用ハンモックを提供する。【解決手段】前頭部を挟む一対の前方分割脚部７１Ａ，７２Ａのそれぞれに延伸を許容する前方脆弱部７１０，７２０が形成される。後頭部を挟む一対の後方分割脚部７３Ａ，７４Ａのそれぞれに延伸を許容する後方脆弱部７３０，７４０が形成される。【選択図】図２
2017133124.tif 000002
【特許請求の範囲】
【請求項１】
産業用安全帽の帽体の内側に設けられて人頭に接するハンモックであって、前記帽体の内面に対して所定の空隙を存して頭頂部から放射状に延びて下端部が帽体に着脱自在に連結される複数本の脚部を備え、該脚部の内側下部には、人頭外周に装着する環状のヘッドバンドが配置されるものにおいて、
人頭の前頭部を挟む２つの前方脚部である一対の前方脚部と、
人頭の後頭部を挟む２つの後方脚部である一対の後方脚部と
を備え、
前記一対の前方脚部のそれぞれに延伸を許容する前方脆弱部が形成されると共に、前記一対の後方脚部のそれぞれに延伸を許容する後方脆弱部が形成されることを特徴とする安全帽用ハンモック。
【請求項２】
請求項１記載の安全帽用ハンモックにおいて、
前記前方脆弱部は、前記一対の前方脚部のそれぞれの延伸により白化する合成樹脂からなると共に、前記後方脆弱部は、前記一対の後方脚部のそれぞれの延伸により白化する合成樹脂からなることを特徴とする安全帽用ハンモック。
【請求項３】
請求項１または２記載の安全帽用ハンモックにおいて、
前記前方脆弱部は、前記一対の前方脚部のそれぞれの延伸により破断を許容すると共に、前記後方脆弱部は、前記一対の後方脚部のそれぞれの延伸により破断を許容することを特徴とする安全帽用ハンモック。
【請求項４】
請求項１乃至３のうちいずれか１項記載の安全帽用ハンモックにおいて、
前記複数本の脚部は、その下端部が帽体に着脱自在に連結される帽体連結部が前方左右および後方左右の４箇所のいずれかに連結され、該４箇所の帽体連結部から分岐していることを特徴とする安全帽用ハンモック。
【発明の詳細な説明】
【技術分野】
【０００１】
本発明は、産業用安全帽の帽体内部に設けられて人頭に接する安全帽用ハンモックに関する。
【背景技術】
【０００２】
日本工業規格で規定される産業用安全帽は、硬質の帽体と、人頭に接するハンモック、ヘッドバンド、環ひも類等からなる着装体とを備えている。更に、この種の安全帽においては、帽体の内面に衝撃吸収ライナが取り付けられている。
【０００３】
衝撃吸収ライナは、帽体に衝撃のエネルギーが加わったときに、着用者の頭部に伝わる衝撃の運動エネルギーを吸収するために帽体内部に挿入する着装体以外の部品である。衝撃吸収ライナは、発泡スチロール等により形成されており、帽体の内面の殆どの範囲を覆っている。これにより、着用者の転倒や転落による墜落時に前頭部と後頭部との何れの側から衝撃を受けても、そのときの衝撃力を衝撃吸収ライナが適切に吸収して人頭を保護することができるようになっている（例えば、特許文献１参照）。
【０００４】
しかし、帽体と着装体との間に衝撃吸収ライナが設けられていると、帽体と人頭との間の空隙が僅かとなることから、帽体内部の通気性が悪く、衝撃吸収ライナにより放熱も阻害される。このため、帽体内部に熱こもりや蒸れが生じて着用時の快適性が損なわれる不都合がある。
【０００５】
そこで、通気性や放熱性を確保するために、帽体の内面から衝撃吸収ライナを取り除くことが考えられる。しかし、衝撃吸収ライナを取り除いた場合、帽体直上位置からの落下物等の衝突時には、ハンモックによる衝撃力の緩和が得られるものの、着用者の転倒や墜落時に受ける頭頂部側以外の方向から受ける衝撃力は殆ど吸収することができず、産業用安全帽としての十分な転倒・墜落時保護性能が得られなくなる不都合がある。
【０００６】
一方、日本工業規格による産業用安全帽の規定が設けられる以前の保安帽においては、帽体内部に衝撃吸収ライナが設けられておらず、着装体を構成するヘッドバンドの外周面（帽体内面に対向する面）に複数の緩衝用部材を設けたものがあるが（例えば、特許文献２参照）、産業用安全帽として要求される転倒・墜落時保護性能は得られない。
【先行技術文献】
【特許文献】
【０００７】
【特許文献１】特開平８−３１１７１３号公報
【特許文献２】実公昭３３−１２４０号公報
【特許文献３】特許第５５９１９８４号公報
【発明の概要】
【発明が解決しようとする課題】
【０００８】
ここで、本願発明者および本願出願人は、いち早く産業用安全帽の研究開発を進めてきたパイオニアとして、衝撃吸収ライナを取り除いた産業用安全帽の鋭意試験研究を繰り返す中で（例えば、特許文献３参照）、衝撃吸収ライナを取り除いた場合には、ハンモックの特定の部位に衝撃応力が集中するとの知見に至った。
【０００９】
本発明は、かかる知見に基づくものであり、衝撃吸収ライナを取り除いた場合に、産業用安全帽として十分な衝撃吸収能力を簡易かつ確実に担保することができる安全帽用ハンモックを提供することを目的とする。
【課題を解決するための手段】
【００１０】
第１発明の安全帽用ハンモックは、
産業用安全帽の帽体の内側に設けられて人頭に接するハンモックであって、前記帽体の内面に対して所定の空隙を存して頭頂部から放射状に延びて下端部が帽体に着脱自在に連結される複数本の脚部を備え、該脚部の内側下部には、人頭外周に装着する環状のヘッドバンドが配置されるものにおいて、
人頭の前頭部を挟む２つの前方脚部である一対の前方脚部と、
人頭の後頭部を挟む２つの後方脚部である一対の後方脚部と
を備え、
前記一対の前方脚部のそれぞれに延伸を許容する前方脆弱部が形成されると共に、前記一対の後方脚部のそれぞれに延伸を許容する後方脆弱部が形成されることを特徴とする。
【００１１】
第１発明の安全帽用ハンモックによれば、産業用安全帽のパイオニアである本願発明者および本願出願人は、衝撃吸収ライナを取り除く鋭意試験研究を繰り返す中で、前頭部側の部位に衝撃が加わった場合には、人頭が前方に押し付けられることにより、当該ハンモック全体が前方に移動し、同時に、後方脚部に衝撃応力が集中するとの知見に至った。
【００１２】
同様に、後頭部側の部位に衝撃が加わった場合には、人頭が後方に押し付けられることにより、当該ハンモック全体が後方に移動し、同時に、前方脚部に衝撃応力が集中するとの知見に至った。
【００１３】
かかる知見に基づき、第１発明の安全帽用ハンモックは、一対の後方脚部のそれぞれに延伸を許容する後方脆弱部を形成することで、前頭部側の衝撃に対して後方脆弱部が衝撃吸収応力を吸収するように延伸し、驚くべき衝撃吸収能力を発揮することがきる。
【００１４】
同様に、一対の前方脚部のそれぞれに延伸を許容する前方脆弱部を形成することで、後頭部側の衝撃に対して、前方脆弱部が衝撃吸収応力を吸収するように延伸し、驚くべき衝撃吸収能力を発揮することがきる。
【００１５】
このように、第１発明の安全帽用ハンモックは、産業用安全帽として十分な衝撃吸収能力を簡易かつ確実に担保することができる。
【００１６】
第２発明の安全帽用ハンモックは、第１発明において、
前記前方脆弱部は、前記一対の前方脚部のそれぞれの延伸により白化する合成樹脂からなると共に、前記後方脆弱部は、前記一対の後方脚部のそれぞれの延伸により白化する合成樹脂からなることを特徴とする。
【００１７】
第２発明の安全帽用ハンモックによれば、前方脆弱部および後方脆弱部を脚部の延伸により白化する合成樹脂とすることで、延伸を許容する前方脆弱部および後方脆弱部を具体的に実現することができる。
【００１８】
さらに、衝撃を吸収した各脆弱部が白化することで、衝撃の吸収状態を目視により確認することができ、当該ハンモックの交換の目安を提示することができる。
【００１９】
このように、第２発明の安全帽用ハンモックによれば、産業用安全帽として十分な衝撃吸収能力を簡易かつ確実に担保しつつ、衝撃の吸収状態を視認可能とすることができる。
【００２０】
第３発明の安全帽用ハンモックは、第１または第２発明において、
前記前方脆弱部は、前記一対の前方脚部のそれぞれの延伸により破断を許容すると共に、前記後方脆弱部は、前記一対の後方脚部のそれぞれの延伸により破断を許容することを特徴とする。
【００２１】
第３発明の安全帽用ハンモックによれば、前方脆弱部および後方脆弱部を脚部の延伸により破断を許容することで、延伸を許容する前方脆弱部および後方脆弱部を具体的に実現することができる。
【００２２】
さらに、衝撃を吸収した各脆弱部が破断することで、衝撃の吸収状態を目視により確認することができ、当該ハンモックの交換の目安を提示することができる。
【００２３】
加えて、前方脆弱部および後方脆弱部を脚部の延伸により白化する合成樹脂とすることに加えてさらに破断を許容する場合には、白化と破断の２段階で衝撃の吸収状況を目視により確認することができると共に、破断により積極的に当該ハンモックの交換を促すことができる。
【００２４】
このように、第３発明の安全帽用ハンモックによれば、産業用安全帽として十分な衝撃吸収能力を簡易かつ確実に担保しつつ、衝撃の吸収状態を視認可能とすることができる。
【００２５】
第４発明の安全帽用ハンモックは、第１〜第３発明のいずれかにおいて、
前記複数本の脚部は、その下端部が帽体に着脱自在に連結される帽体連結部が前方左右および後方左右の４箇所のいずれかに連結され、該４箇所の帽体連結部から分岐していることを特徴とする。
【００２６】
第４発明の安全帽用ハンモックによれば、脚部と帽体とが連結される帽体連結部が前方左右および後方左右の４箇所（いわゆる４脚ハンモック）の場合には、帽体連結部が４箇所に制限される。
【００２７】
ここで、本願発明者および本願出願人の鋭意試験研究によれば、帽体連結部が４箇所に制限される場合には、前頭部側の部位に衝撃が加わった場合には、当該ハンモック全体の前方への移動により、際立って、後方側の脚部への衝撃応力負荷が顕在化するとの知見に至った。
【００２８】
同様に、帽体連結部が４箇所に制限される場合には、後頭部側の部位に衝撃が加わった場合には、当該ハンモック全体の後方への移動により、際立って、前方側の脚部への衝撃応力負荷が顕在化するとの知見に至った。
【００２９】
第４発明の安全帽用ハンモックは、かかる知見の基づくものであり、帽体連結部が前方左右および後方左右の４箇所（いわゆる４脚ハンモック）の場合に、複数本の脚部を該４箇所の帽体連結部から分岐させることで、特に、分岐させた脚部のうち一対の前方脚部および後方脚部に衝撃応力負荷を集中させることがきる。
【００３０】
そして、衝撃応力負荷が集中する分岐させた脚部のうち一対の前方脚部および後方脚部に、それぞれに延伸を許容する前方脆弱部および後方脆弱部を形成することで、帽体連結部が前方左右および後方左右の４箇所（いわゆる４脚ハンモック）の場合にも、驚くべき衝撃吸収能力を発揮することがきる。
【００３１】
このように、第４発明の安全帽用ハンモックは、帽体連結部が前方左右および後方左右の４箇所（いわゆる４脚ハンモック）の場合にも、産業用安全帽として十分な衝撃吸収能力を簡易かつ確実に担保することができる。
【図面の簡単な説明】
【００３２】
【図１】本発明の実施形態のハンモックの取り付け状態を示す説明的斜視図。
【図２】図１のハンモックの展開状態の平面図。
【図３】図１のハンモックに衝撃吸収部を設けた状態を示す説明的斜視図。
【図４】図３のハンモックの展開状態の平面図。
【図５】本実施形態のハンモックの機能を説明する説明図。
【図６】本実施形態のハンモックの変更例を示す展開状態の平面図。
【発明を実施するための形態】
【００３３】
本発明の一実施形態を図面に基づいて説明する。
【００３４】
図１に示すように、産業用安全帽１は、硬質の帽体２（図中仮想線示）と、帽体２の内部に設けられて人頭に接する着装体３とによって構成される。着装体３は、ハンモック４、ヘッドバンド５、及び図示省略した環ひも類（顎紐等）により構成されている。
【００３５】
ハンモック４は、合成樹脂（例えばポリオレフィン系合成樹脂等）を材料とする射出成形により一体成形されており、人頭に接して人頭と帽体２との間に所定の空隙を形成する。
【００３６】
帽体２との間の所定の空隙は、より具体的には、頭頂部側では、貫通物が人頭に触れることを防止するように空隙が大きく、頭頂部側から人頭外周が拡径されるに従って空隙が徐々に小さくなるように形成される。
【００３７】
ヘッドバンド５は、ハンモック４と同じ材料で形成されており、人頭を囲繞して人頭に固定される。ヘッドバンド５の後頭部側には、人頭のサイズに合わせて周長を調節するためのサイズ調節手段６が設けられている。
【００３８】
次に、図２を参照して、本発明の実施形態であるハンモック４の構成について詳説する。
【００３９】
ハンモック４は、頭頂部から放射状に延びる複数の脚部７と、各脚部７の上端を一体に連結する環状の脚部連結部８とを備えている。各脚部７の下端部には、帽体２の下端部内面に設けられている図示しない嵌合受部に着脱自在に嵌合係止される嵌合係止部９（本発明の帽体連結部に相当する）が一体に設けられている。
【００４０】
本実施形態では４本の脚部７は、それぞれ上端が脚部連結部８に連結されると共に、下端が嵌合係止部９を介して４箇所の嵌合受部に連結されている。そして、各脚部７は、各々上端側および下端側で分岐され、各脚部７が２分割されて８本の分割脚部７１Ａ，７１Ｂ，７２Ａ，７２Ｂ，７３Ａ，７３Ｂ，７４Ａ，７４Ｂとなっている。
【００４１】
各脚部７（分割脚部７１Ａ〜７４Ｂ）は、帽体２の内部に組み付けられたとき、図１に示すように、人頭に対応するように湾曲する形状とされ、帽体２の内部から取り外された状態（帽体２への組み付け前の状態、又は、交換等により帽体２から取り外した状態）のとき、図２に示すように略扁平となる。
【００４２】
前頭部を挟む２つの分割脚部である一対の前方分割脚部７１Ａ，７２Ａのそれぞれには、延伸を許容する前方脆弱部７１０，７２０が形成される。前方脆弱部７１０，７２０は、前方分割脚部７１Ａ，７２Ａの幅を細めるように切り欠いて形成されることにより、ハンモック４を構成する合成樹脂材の延伸性を部分的に高めている。さらに、前方脆弱部７１０，７２０の切り欠き量は、延伸が一定のレベルを超えた場合には破断することが許容されるように設計されている。
【００４３】
また、合成樹脂材を、前方脆弱部７１０，７２０の延伸により白化する合成樹脂（例えば、ポリエチレン）とすることで、衝撃を吸収した前方脆弱部７１０，７２０が白化し、衝撃の吸収状態を目視により確認することができる。
【００４４】
なお、前方分割脚部７１Ａと分岐した分割脚部７１Ｂには、前方脆弱部７１０と対称な位置に、分割脚部７１Ｂの幅を細めるように切り欠いた把持部７１１が形成されている。また、前方分割脚部７２Ａと分岐した分割脚部７２Ｂには、前方脆弱部７２０と対称な位置に、分割脚部７２Ｂの幅を細めるように切り欠いた把持部７２１が形成されている。
【００４５】
一方、後頭部を挟む２つの分割脚部である一対の後方分割脚部７３Ａ，７４Ａのそれぞれには、延伸を許容する後方脆弱部７３０，７４０が形成される。後方脆弱部７３０，７４０は、後方分割脚部７３Ａ，７４Ａの幅を細めるように切り欠いて形成されることにより、ハンモック４を構成する合成樹脂材の延伸性を部分的に高めている。さらに、後方脆弱部７３０，７４０の切り欠き量は、延伸が一定のレベルを超えた場合には破断することが許容されるように設計されている。
【００４６】
また、合成樹脂材を、後方脆弱部７３０，７４０の延伸により白化する合成樹脂（例えば、ポリエチレン）とすることで、衝撃を吸収した後方脆弱部７３０，７４０が白化し、衝撃の吸収状態を目視により確認することができる。
【００４７】
なお、後方分割脚部７３Ａと分岐した分割脚部７３Ｂには、後方方脆弱部７３０と対称な位置に、分割脚部７３Ｂの幅を細めるように切り欠いた把持部７３１が形成されている。また、後方分割脚部７４Ａと分岐した分割脚部７４Ｂには、後方脆弱部７４０と対称な位置に、分割脚部７４Ｂの幅を細めるように切り欠いた把持部７４１が形成されている。
【００４８】
また、分割脚部７１Ａ〜７４Ｂは、図１および図２に示すように、帽体の内面に向かって突出する突起３１を備えている。突起３１は、分割脚部７１Ａ〜７４Ｂと帽体２の内面との間の空隙に対応する突出量を有している。更に、突起３１は筒状に形成されており、潰れ等の変形により帽体２の外部からの衝撃を吸収する能力を有している。
【００４９】
分割脚部７１Ａ〜７４Ｂに突起３１を設けることにより、突起３１が帽体２の内面に当接することで、脚部７と帽体２の内面との間に空隙が十分に確保された状態を維持することができる。これにより、衝撃荷重による分割脚部７１Ａ〜７４Ｂと帽体２内面との接触を防止することができ、分割脚部７１Ａ〜７４Ｂ（特に、前方脆弱部７１０，７２０および後方脆弱部７３０，７４０）が有している衝撃緩和作用を十分に発揮させることができる。なお、前方脆弱部７１０，７２０および後方脆弱部７３０，７４０による衝撃緩和作用の詳細は、図５を参照して後述する。
【００５０】
また、脚部７の突起３１によって、ハンモック４に接する人頭と帽体２の内面との間に空隙が形成された状態を確実に維持することができるので、帽体２の内部の通気性を十分に確保することができる。更に、突起３１自体が衝撃を吸収する能力を有していることにより、突起３１を介して脚部７から人頭に伝わる衝撃も緩和することができる。
【００５１】
なお、ハンモック４とヘッドバンド５とは、脚部７の下端側の分岐部からヘッドバンド５側に向かって突出して設けられた係止用突起が、ヘッドバンド５に段階的に切り欠いて形成されたスリット部に係合して連結される。
【００５２】
次に、図３および図４を参照して、上記実施形態のハンモックに衝撃吸収部を設けたハンモックの構成について説明する。なお、上記実施形態と同一構成については同一番号を付してその説明を省略する。
【００５３】
前頭部を挟む２つの分割脚部である一対の前方分割脚部７１Ａ，７２Ａ間には、これらの間を跨ぐ前方懸架部１１が設けられ、前方懸架部１１には、その下縁側に垂下支持されるようにして前方衝撃吸収部１２が設けられている。前方衝撃吸収部１２は、図３に示すように、帽体２の内面に当接する形状となっている。なお、前方衝撃吸収部１２の構成については、詳細を後述する。
【００５４】
一方、後頭部を挟む２つの分割脚部である一対の後方分割脚部７３Ａ，７４Ａ間には、これらの間を跨ぐ後方懸架部１３が設けられ、後方懸架部１３には、その下縁側に垂下支持されるようにして後方衝撃吸収部１４が設けられている。後方衝撃吸収部１４は、図３に示すように、帽体２の内面に当接する形状となっている。なお、後方衝撃吸収部１４の構成については、詳細を後述する。
【００５５】
ここで、前方懸架部１１は、帯状に形成されており、一端が一方の前方分割脚部７２Ａに一体に連結され、他端が他方の前方分割脚部７１Ａに向かって延びている。前方懸架部１１の他端には、他方の前方分割脚部７１Ａに形成された係止爪１１Ａに着脱自在に係止される係止孔１１Ｂが形成されている。
【００５６】
前方懸架部１１の係止孔１１Ｂを係止爪１１Ａに係止させることにより、図３に示すように、前方懸架部１１が前方分割脚部７１Ａ，７２Ａ間に形成される間隔部分を跨ぎ、ヘッドバンド５よりも上方に設けられる。
【００５７】
後方懸架部１３も、同様に、帯状に形成されており、一端が一方の後方分割脚部７３Ａに一体に連結され、他端が他方の後方分割脚部７４Ａに向かって延びている。後方懸架部１３の他端には、他方の後方分割脚部７４Ａに形成された係止爪１３Ａに着脱自在に係止される係止孔１３Ｂが形成されている。
【００５８】
後方懸架部１３の係止孔１３Ｂを係止爪１３Ａに係止させることにより、後方懸架部１３が後方分割脚部７３Ａ，７４Ａ間に形成される間隔部分を跨ぎ、ヘッドバンド５よりも上方に設けられる。
【００５９】
なお、前方懸架部１１の係止孔１１Ｂを係止爪１１Ａから取り外し、後方懸架部１３の係止孔１３Ｂを係止爪１３Ａから取り外すと、ハンモック４を、図４に示すように扁平とすることができる。これにより、ハンモック４を帽体２から取り外したときに扁平として保管時等に嵩張ることがない。また、前方懸架部１１および後方懸架部１３の一端を一方の連結脚部７２Ａ，７３Ａに連結した状態で、射出成形による一体成形が可能となる。
【００６０】
次に、帽体２の左右両側の側頭部側には、脚部連結部８から下方に延びる延出部１５，１５の下端に側方衝撃吸収部１６，１６が設けられている。延出部１５，１５は、側頭部側の２つの分割脚部７１Ｂ，７３Ｂ間および７２Ｂ，７４Ｂ間に延び、図３に示すように、帽体２の内面に側方衝撃吸収部１６，１６を当接させる形状（本実施形態においては滑らかに屈曲させた形状）に形成されている。なお、側方衝撃吸収部１６の構成については、詳細を後述する。
【００６１】
次に、説明を後回しにした前方衝撃吸収部１２、後方衝撃吸収部１４および側方衝撃吸収部１６の構成について説明する。
【００６２】
図４に示すように、前方衝撃吸収部１２、後方衝撃吸収部１４および側方衝撃吸収部１６には、互いに通気自在の間隙を存して配設された複数の筒状構造部２１と、各筒状構造部２１の底部を互いに連結する板状の基部２２とによって構成されている。
【００６３】
筒状構造部２１は、多角筒状（本実施形態では六角筒状）に形成されており、その軸線方向の潰れにより衝撃力を吸収する能力を備える。前方衝撃吸収部１２、後方衝撃吸収部１４および側方衝撃吸収部１６は、図３に示すように、筒状構造部２１の軸線を帽体２の内面に向けた姿勢で帽体２に当接して設けられる。
【００６４】
前方衝撃吸収部１２を前頭部側に、後方衝撃吸収部１４を後頭部側に配設したことにより、産業用安全帽１は、日本工業規格に規定されている産業用安全帽（「日本工業規格Ｔ８１３１：２０００付属書２」における転倒・転落時保護用安全帽）として十分な墜落時保護性能が得られるように構成されている。
【００６５】
次に、図５を参照して、説明を後回しにした前方脆弱部７１０，７２０および後方脆弱部７３０，７４０による衝撃緩和作用について説明する。
【００６６】
まず、図５Ａに示す通常の状態から、前頭部側の部位に衝撃が加わった場合には、人頭が前方に押し付けられることにより、図５Ｂに示すように、当該ハンモック４全体が前方に移動し、同時に、一対の後方分割脚部７３Ａ，７４Ａに衝撃応力が集中する。
【００６７】
このとき、一対の後方分割脚部７３Ａ，７４Ａのそれぞれに延伸を許容する後方脆弱部７３０，７４０が形成されているため、（前方衝撃吸収部１２がある場合には、前頭部側の衝撃に対して前方衝撃吸収部１２による衝撃吸収に加えて、）後方脆弱部７３０，７４０が衝撃吸収応力を吸収するように延伸し、驚くべき衝撃吸収能力を発揮することがきる。
【００６８】
同様に、図５Ａに示す通常の状態から、後頭部側の部位に衝撃が加わった場合には、人頭が後方に押し付けられることにより、図５Ｃに示すように、当該ハンモック４全体が後方に移動し、同時に、一対の前方分割脚部７１Ａ，７２Ａに衝撃応力が集中する。
【００６９】
このとき、一対の前方分割脚部７１Ａ，７２Ａのそれぞれに延伸を許容する前方脆弱部７１０，７２０を形成することで、（後方衝撃吸収部１４がある場合には、後頭部側の衝撃に対して後方衝撃吸収部１４による衝撃吸収に加えて、）前方脆弱部７１０，７２０が衝撃吸収応力を吸収するように延伸し、驚くべき衝撃吸収能力を発揮することがきる。
【００７０】
このように、本実施形態のハンモック４によれば、産業用安全帽として十分な衝撃吸収能力を簡易かつ確実に担保することができる。
【００７１】
さらに、前方脆弱部７１０，７２０および後方脆弱部７３０，７４０を延伸により白化する合成樹脂とすることで、衝撃の吸収状態を目視により確認することができ、当該ハンモック４の交換の目安を提示することができる。
【００７２】
加えて、前方脆弱部７１０，７２０および後方脆弱部７３０，７４０を延伸により白化する合成樹脂とすることに加えてさらに破断を許容する場合には、白化と破断の２段階で衝撃の吸収状況を目視により確認することができると共に、破断により積極的に当該ハンモック４の交換を促すことができる。
【００７３】
以上、詳しく説明したように本実施形態のハンモック４によれば、産業用安全帽として十分な衝撃吸収能力を簡易かつ確実に担保しつつ、衝撃の吸収状態を視認可能とすることができる。
【００７４】
なお、本実施形態では、４本の脚部７が、それぞれ上端が脚部連結部８に連結されると共に、下端が嵌合係止部９を介して４箇所の嵌合受部に連結される、いわゆる４脚ハンモックについて説明したがこれに限定されるものではない。
【００７５】
例えば、図６に示すように、脚部７が８本のいわゆる８脚ハンモックの場合であってもよい。この場合、前方脚部７Ａ，７Ｂの幅を細めるように切り欠いた前方脆弱部７１０Ａ，７１０Ｂを形成すると共に、後方脚部７Ｃ，７Ｄの幅を細めるように切り欠いた後方脆弱部７１０Ｃ，７１０Ｄを形成する。
【００７６】
これにより、前頭部側の衝撃に対して前方衝撃吸収部１２による衝撃吸収に加えて、後方脆弱部７１０Ｃ，７１０Ｄが衝撃吸収応力を吸収するように延伸し、驚くべき衝撃吸収能力を発揮することがきると共に、後頭部側の衝撃に対して後方衝撃吸収部１４による衝撃吸収に加えて、前方脆弱部７１０Ａ，７１０Ｂが衝撃吸収応力を吸収するように延伸し、驚くべき衝撃吸収能力を発揮することがきる。
【００７７】
さらに、本実施形態では、前頭部を挟む一対の前方分割脚部７１Ａ，７２Ａ間に、これらの間を跨ぐ前方懸架部１１を設け、前方懸架部１１に、前方衝撃吸収部１２を設ける場合について説明したが、これに限定されるものではない。前方衝撃吸収部１２は、前頭部を挟む一対の前方分割脚部７１Ａ，７２Ａ間に設けられれば、例えば、側方衝撃吸収部１６のように、脚部連結部８から前側下方に延びる延出部の下端に前方衝撃吸収部１２を設けるようにしてもよく、ハンモック４と別体の前方衝撃吸収部１２を帽体２の前頭部部分に貼り付けるようにしてもよい。
【００７８】
同様に、本実施形態では、後頭部を挟む一対の後方分割脚部７３Ａ，７４Ａ間に、これらの間を跨ぐ後方懸架部１３を設け、後方懸架部１３に、後方衝撃吸収部１４を設ける場合について説明したが、これに限定されるものではない。後方衝撃吸収部１４は、後頭部を挟む一対の後方分割脚部７３Ａ，７４Ａ間に設けられれば、例えば、側方衝撃吸収部１６のように、脚部連結部８から後側下方に延びる延出部の下端に後方衝撃吸収部１４を設けるようにしてもよく、ハンモック４と別体の後方衝撃吸収部１４を帽体２の後頭部部分に貼り付けるようにしてもよい。
【００７９】
また、本実施形態においては、前方衝撃吸収部１２、後方衝撃吸収部１４および側方衝撃吸収部１６の筒状構造部２１を多角筒状としたが、筒状構造部２１は多角筒状に限るものではなく、円筒状であってもよい。また、筒状構造部２１の数量及び大きさは適宜設定することができる。
【００８０】
また、本実施形態においては、ハンモック４に前方衝撃吸収部１２、後方衝撃吸収部１４および側方衝撃吸収部１６を設けた例を示したが、帽体２の前頭部側と後頭部側に位置する前方衝撃吸収部１２および後方衝撃吸収部１４のみを設けてもよい。これによれば、人頭と帽体２との間に一層広い空隙を形成することができるので、着用時の快適性を更に向上させることができると共に、軽量化することもできる。
【００８１】
また、本実施形態においては、前方懸架部１１の一端が前方分割脚部７２Ａに一体に連結されている例を示したが、前方懸架部１１の両端を共に前方分割脚部７１Ａ，７２Ａから着脱自在として、前方分割脚部７１Ａ，７２Ａと別体としてもよい。
【００８２】
同様に、後方懸架部１３の一端が後方分割脚部７３Ａに一体に連結されている例を示したが、後方懸架部１３の両端を共に後方分割脚部７３Ａ，７４Ａから着脱自在として、後方分割脚部７３Ａ，７４Ａと別体としてもよい。
【符号の説明】
【００８３】
１…産業用安全帽、２…帽体、４…ハンモック、５…ヘッドバンド、７…脚部、８…脚部連結部、９…嵌合係止部（帽体連結部）、１１…先方懸架部、１２…前方衝撃吸収部、１３…後方懸架部、１４…後方衝撃吸収部、１５…延出部、１６…側方衝撃吸収部、７１Ａ，７２Ａ…前方分割脚部（脚部）、７３Ａ，７３Ａ…後方分割脚部（脚部）、７１０，７１０Ａ，７１０Ｂ，７２０…前方脆弱部、７１０Ｃ，７１０Ｄ，７３０，７４０…後方脆弱部。
【図１】
2017133124.tif 000003
【図２】
2017133124.tif 000004
【図３】
2017133124.tif 000005
【図４】
2017133124.tif 000006
【図５】
2017133124.tif 000007
【図６】
2017133124.tif 000008